(57)【要約】【課題】安価に製造できる簡単な構造で、器物の内径寸法を測定する場合に迅速かつ正確に計測できるスライド定規の提供。【解決手段】スライド定規１０は、バネ板製で磁石により吸引可能であるとともに、略放物線、略円弧、略Ｕ字形など湾曲した断面を有する帯板状の下定規１と、バネ板製で磁石により吸引可能であるとともに、下定規１とほぼ同一の湾曲した断面およびほぼ同一の長さを有する帯板状の上定規２とを重ねている。下定規１の先端部１１の上面にはシート状の磁石３が貼着され、上定規２の基端部２２の下面にはシート状の磁石４が貼着されている。【選択図】図１
2011011503.tif 000002
【特許請求の範囲】
【請求項１】
磁石により吸引可能であるとともに、略円弧、略Ｕ字形、略放物線など湾曲した断面を有する帯板状の下定規、磁石により吸引可能であるとともに、前記下定規とほぼ同一の湾曲した断面およびほぼ同一の長さを有する帯板状の上定規とを重ね、少なくとも前記下定規の先端と、前記上定規の基端とは磁力により吸引され前記下定規と前記上定規とはスライド可能に一体となっていることを特徴とするスライド定規。
【請求項２】
請求項１に記載のスライド定規において、前記下定規および前記上定規はバネ板製であることを特徴とするスライド定規。
【請求項３】
請求項１または２に記載のスライド定規において、前記下定規の先端の上面または下面にはシート状の磁石が固着または吸着され、前記上定規の基端の下面または上面にはシート状の磁石が固着または吸着されていることを特徴とするスライド定規。
【請求項４】
請求項１ないし３に記載のスライド定規において、前記下定規の基端と前記上定規の先端には端面リブが固着されていることを特徴とするスライド定規。
【請求項５】
請求項１ないし３に記載のスライド定規を２本使用し、各スライド定規の基端部の先端を４５度に切断しＬ字形に接続したことを特徴とするスライド定規。
【請求項６】
請求項１または２に記載のスライド定規において、前記下定規は、請求項１に記載の３本の下定規を背中合わせに固着して、断面が中空の略正三角形状を呈しており、中空となっている先端の内部に磁石を取り付けていることを特徴とするスライド定規。
【発明の詳細な説明】
【技術分野】
【０００１】
この発明は、器物の内径寸法を測定する場合などに便利なスライド定規に関する。
【背景技術】
【０００２】
器物の内径寸法を測定する場合に、定規の両端が被測定内径に確実に当接させることができると、正確な寸法の測定が容易にできる。従来の直線定規や巻き尺は、平面または表面の寸法の測定は容易であるが、たとえば家具の内部の内径寸法など、被測定位置に直線定規の両端や巻き尺を、直接的に当接することができ難い場所の計測を、円滑かつ正確に行うことは難しかった。さらに、器物の内部など奥まった部分の内径などを計測する場合には、測定器具を片手で操作できると便利である。
【０００３】
スライド式の定規としては、特許文献１の如く、Ｔ定規のものが提案されている。また、スライドして器物の内径寸法を測定できる器具としては、ノギスが古くから使用されている。
【先行技術文献】
【特許文献】
【０００４】
【特許文献１】実開平６−２００８９号公報
【発明の概要】
【発明が解決しようとする課題】
【０００５】
スライド式のＴ定規は、器物の内径寸法を測定するものではない。また、ノギスは主に外径を精密に計測する用途に適し、内径の計測も可能ではあるが付随的機能であるとともに、高価なものであり、簡便な測定器具ではない。
この発明の目的は、簡単な構造で、器物の内径寸法を測定する場合に迅速かつ正確に計測できるスライド定規の提供にある。
【課題を解決するための手段】
【０００６】
この発明は、磁性体製で磁石により吸引可能であるとともに湾曲した断面を有する帯板状の下定規と、この下定規とほぼ同一の湾曲した断面を有する磁性体製で磁石により吸引可能な帯板状の上定規とを重ねる。少なくとも下定規の先端と上定規の基端は、磁石によりスライド可能に吸着させ一体となっている。下定規と上定規とは、ほぼ同一の長さで、いずれもバネ板製であると、弾力性および耐久性に優れ、取り扱いが容易である。また、下定規と上定規との湾曲した断面は、略円弧、略Ｕ字形、略放物線などで、中央が下位の凹断面であり、上面に目盛り、数字が付されている。
【発明の効果】
【０００７】
この発明のスライド定規は、略中央部を片手で保持して使用する。下定規を人指し指、中指の２本または親指以外の４本の指の腹で支持し、親指を上定規に当てて、親指の摩擦で上定規を長手方向に付勢すると、上定規を下定規に沿ってスライドできる。器物の内径を測定する際に、縮めた状態で器物の凹所に挿入して、被測定位置で伸長させて両端を内径に当接させる。これにより、器物の内径寸法を正確かつ確実に測定できる。
【図面の簡単な説明】
【０００８】
【図１】この発明の実施例１にかかるスライド定規の斜視図である。
【図２】実施例１にかかるスライド定規の組付図である。
【図３】実施例１にかかるスライド定規の使用状態図である。
【図４】実施例１にかかるスライド定規の他の使用状態図である。
【図５】実施例１にかかるスライド定規の他の使用状態図である。
【図６】この発明の実施例２にかかるスライド定規の斜視図である。
【図７】この発明の実施例３にかかるスライド定規の斜視図である。
【図８】この発明の実施例４にかかるスライド定規の斜視図である。
【図９】この発明の実施例４にかかるスライド定規の斜視図である。
【図１０】この発明の実施例５にかかるスライド定規の斜視図である。
【発明を実施するための形態】
【０００９】
図１に示す如く、この発明のスライド定規１０は、磁石により吸引可能なバネ板製で、略放物線、略円弧、略Ｕ字形など中央が凹んでいる湾曲した断面を有する帯板状の下定規１と、磁石により吸引可能なバネ板製で、下定規１とほぼ同一の湾曲した断面およびほぼ同の一長さを有する帯板状の上定規２とを重ねている。下定規１の先端の上面にはシート状の磁石３が貼着され、上定規２の基端の下面には、シート状の磁石４が貼着され、上定規２は下定規１に対して長手方向にスライドが容易で、短手方向には変位し難い状態で一体となっている。
【実施例１】
【００１０】
図１および図２は、実施例１にかかるスライド定規１０を示し、中央が略円弧でその両端が略直線の湾曲した凹断面を有するバネ板製の帯板状の下定規１と、この下定規１と同一若しくは略同一の湾曲した断面を有し、ほぼ同一長さの帯板状の上定規２とを備える。下定規１と上定規２の湾曲した凹断面は、伸縮操作の際のガイドの作用を有し、長手方向の相対変位を容易にするとともに、短手方向の相対変位を阻止する作用を有する。このため、下定規１と上定規２の湾曲した凹断面は同一で、適当な深さを有することが望ましい。
【００１１】
この実施例では、下定規１および上定規２はいずれも厚さ０．２ｍｍ程度の鉄製のバネ材で形成され、磁石により吸引される性質（磁性体性）を有する。なお、下定規１および上定規２は、それぞれ市販の鉄製の巻き尺を切断したものであり、目盛りおよび符号をそのまま利用できて安価に製造できる。下定規１の先端部１１の上面と、上定規２の基端部２２の下面には、薄いシート状の磁石３、４が接着などにより固着されている。
【００１２】
下定規１と上定規２とは、シート状の磁石３、４の吸引力で長手方向にスライド可能に吸着され一体となっている。この実施例のシート状の磁石３、４は、ゴム板状の市販の磁石シートを切断して形成し、厚さが０．６ｍｍ、幅が１５ｍｍのものを用いている。シート状の磁石３、４の厚さは、薄いほど良く、幅は短いほど最長計測寸法を増大できる。シート状の磁石３、４の磁力は、スライド操作に好適なものを適宜に選択する。なお、材料を適宜に選択し、下定規１の先端部１１と上定規２の基端部２２とを磁化させて、シート状の磁石３、４の代わりとしてもよい。
【００１３】
下定規１の上面には２０〜４０の数字が１ｃｍの間隔で記載され、上縁および下縁には１ｍｍの間隔で目盛りが記載されている。上定規２の上面には０〜２０の数字が１ｃｍの間隔で記載され、上縁および下縁には１ｍｍの間隔で目盛りが記載されている。下定規１の数字は、基端は０、中央は３０、先端は４０であり、２０と３０との間は１〜９、３０と４０との間は１〜９となっている。上定規２の数字は、基端は０、中央は１０、先端は２０であり、０と１０との間は１〜９、１０と２０との間は１〜９となっている。
【００１４】
この実施例では、下定規１の基端および上定規２の先端には、湾曲した凹断面を塞ぐ端面リブであるリブ板１２およびリブ板２１が固定されている。リブ板１２、２１は、下定規１の基端および上定規２の先端を被測定位置の内壁に当接させる際の安定のための当板の作用と、下定規１の基端および上定規２の先端の構造強度の補強との作用を有する。
【００１５】
このスライド定規１０は、図３に示す如く、片手（本実施例では左手）Ｈでスライド定規１０の中央部分を保持する。人指し指と中指の２本または親指以外の４本の指の内側に下定規１の下面を当接し、親指Ｋを上定規２の中間部に押し当てて親指Ｋを上定規２の長手方向（図３の右方向）に押圧する。この操作により、上定規２は親指Ｋとの摩擦で下定規１の上面をスライドして伸長する。逆に、親指Ｋで上定規２を図３の左方向に押圧すると、上定規２は親指Ｋとの摩擦で下定規１の上面をスライドして縮小する。
【００１６】
このスライド操作の際に、下定規１および上定規２は、湾曲した同一断面を有するため、軸方向（長手方向）に選択的円滑に伸縮させるこができる。すなわち、下定規１および上定規２の湾曲した同一断面は、下定規１および上定規２が、幅方向に変位することを阻止しているので、湾曲した同一断面およびシート状の磁石３、４の吸引力を適正に選択することで、スムーズに長手方向に伸縮させることができる。これにより、スライド定規１０の使用性が確保される。
【００１７】
スライド定規１０は、箱状器物Ｂの凹所Ａの奥の寸法を測る場合に、縮小した状態で片手Ｈで保持し、被測定部位に差し込んで、親指Ｋで伸長させ両端を被測定部位の内径に当接させる。この時の目盛りを視認して寸法を計測する。計測可能な寸法は、シート状の磁石３、４の幅を１５ｍｍとすると、２０ｃｍ〜３７ｃｍである。この目盛りは、上定規２の基端が示す下定規１の目盛りに２０ｃｍを加算したものがそのまま内径寸法となる。なお、スライド定規１０は、たとえば２０ｃｍ、３０ｃｍ、３７ｃｍの複数本の定規を、縮小時に２０ｃｍである短い１本のスライド定規１０で代用できる利点がある。
【００１８】
図４の（イ）、（ロ）はスライド定規１０の他の使用例を示す。図４の（イ）の使用例では、箱状器物Ｂの内径を両手でスライド操作して計測している。図４の（ロ）の使用例では、板の長さを、計測している。この様にして計測したスライド定規１０をそのまま裏返しにして、図５の（イ）に示す如く、材料をカッターナイフＣで測定長さに切断したり、図５の（ロ）に示す如く、シートに筆記具Ｐで線を引くことができる。
【００１９】
この際に、裏返しにしたスライド定規１０は、薄くかつバネ板製であるため、材質が固く、カッターナイフＣまたは筆記具Ｐの操作が容易であるとともに、刃先がスライド定規１０に接触して移動できるため、正確に切断または線引きができる。なお、図５の（イ）、（ロ）に示す如く、下定規１および上定規の数字および目盛りは、下定規１の下面および上定規２の下面にもそれぞれの上面と同一の目盛りを記載しておくと、スライド定規１０の計測時、またはスライド定規１０を裏返しての使用の際に、使い勝手が向上する。
【実施例２】
【００２０】
図６は実施例２にかかるスライド定規５を示す。この実施例のスライド定規５は、いずれも１５ｃｍの下定規１および上定規２を組み合わせており、上定規２は、１〜１５の数字が記載され、下定規１には５、６、７、８、９、２０、１、２、３、４、５、６、７、８、９、３０の数字が１ｃｍ間隔で記載されている。スライド定規５は、シート状の磁石３、４の幅を１５ｍｍとすると、１５ｃｍから２７ｃｍまでの計測に好適である。なお、この実施例のスライド定規５は、リブ板１２、２１を備えていない。
【実施例３】
【００２１】
図７は実施例３にかかるＬ字スライド定規２０を示す。この実施例では、２本のスライド定規５、１０の先端を４５度に切断しＬ字形に接続している。これにより、直行方向に伸縮するＬ字スライド定規２０が得られる。Ｌ字スライド定規２０も、実施例１、２と同様に使用できるほか、通常のＬ字定規としても使用できる。
【実施例４】
【００２２】
図８の（イ）は実施例４にかかるスライド定規３０を示し、図８の（ロ）はその使用状態を示す。スライド定規３０は、下定規１と上定規２とが、下定規１の先端部の下面に固着または吸着された矩形シート状のネオジム磁石３１と、上定規２の基端の上面に固着または吸着されたやや幅の小さい矩形シート状のネオジム磁石４１とにより、長手方向にスライド可能に一体化されている。この実施例では、下定規１と上定規２とが密接して間に隙間をなくせる利点がある。
【００２３】
ネオジム磁石３１およびネオジム磁石４１は、強い吸引力を有するので、ネオジム磁石３１の磁力は下定規１を通過して上定規２を適当な吸引力で吸引でき、ネオジム磁石４１の磁力は上定規２を通過して下定規１を適当な吸引力で吸引できる。また、ネオジム磁石３１又は、ネオジム磁石４１は、強い吸引力を有するので、貼着などで下定規１又は上定規２に固着することなしに、磁力で下定規１又は上定規２に吸引させる（吸着）ことも可能である。なお、この実施例の如く、ネオジム磁石４１を小さい矩形シートとし、上定規２の凹所内に収まる寸法とすると、スライド定規３０を裏返して使用する場合に（図５参照）、スライド定規３０の両縁がシートなど被加工部材の上面に確実に接触でき、切断、線引きなどを精密にできる。
【００２４】
図９は、スライド定規３０の他の使用例を示す。この使用例では、短冊状の小磁石チップ７、７を下定規１と上定規２との表面の所定の目盛りの位置に平行して吸着させている。磁石チップ７、７は、器物の外径を測定する際にノギスの口の如く、器物の外径を挟んで測定する用途に便利である。
【実施例５】
【００２５】
図１０は、実施例５にかかるスライド定規４０を示す。スライド定規４０は、３本の下定規１を背中合わせに固着して、断面が中空の略正三角形状とし、中空となっている先端の内部に磁石３２を取り付けている。磁石３２は、この強力な金属製ネオジム磁石であることが望ましい。上定規２は、３本の下定規１のいずれか１つに、長手方向へのスライド可能にネオジム磁石４１で吸着されている。このスライド定規４０は、立体性に富むため、シート状の被加工物の上に設置した際に、指先で簡単に保持でき、変位させる際に便利である。また、図５の（イ）、（ロ）に示す線引きやカッターナイフでのカッティングの作業が正確かつ容易にできる利点がある。
【産業上の利用可能性】
【００２６】
この発明のスライド定規１０、５、３０、４０およびＬ字スライド定規２０は、簡単な構造で器具の奥まった位置にある内径寸法を迅速かつ正確に計測でき、実用性に優れる。
【符号の説明】
【００２７】
１０、５、３０、４０    スライド定規
１                      下定規
２                      上定規
３、４                  シート状の磁石
２０                    Ｌ字スライド定規
１２、２１              リブ板（端面リブ）
７                      小磁石チップ
３１、４１              ネオジム磁石
【図１】
2011011503.tif 000003
【図２】
2011011503.tif 000004
【図３】
2011011503.tif 000005
【図４】
2011011503.tif 000006
【図５】
2011011503.tif 000007
【図６】
2011011503.tif 000008
【図７】
2011011503.tif 000009
【図８】
2011011503.tif 000010
【図９】
2011011503.tif 000011
【図１０】
2011011503.tif 000012